(57)【特許請求の範囲】
【請求項１】
基底部、天面部、及び前記基底部と前記天面部とに連結する側壁部を具備する蓋体において、
前記側壁部は、角錐台形状であり、かつ、傾斜角度が異なる複数の傾斜面の連結体で構成されてなり、
前記傾斜面は、前記基底部側に近い傾斜面の傾斜角度が大きく、前記天面部側に近い傾斜面の傾斜角度が小さなように構成されたものであり、
前記傾斜面における隣接する傾斜面は、その傾斜長の割合が３：７〜７：３であり、
前記角錐台形状の角部には、その上下部の幅より中部の幅が広く、かつ、周面が略円弧状の算盤珠状リブが構成されてなる
ことを特徴とする蓋体。
【請求項２】
基底部、天面部、及び前記基底部と前記天面部とに連結する側壁部を具備する蓋体において、
前記側壁部は、角錐台形状であり、かつ、傾斜角度がα１で傾斜長がａ１の前記基底部に連結した第１傾斜面と、……、傾斜角度がαｋで傾斜長がａｋの第ｋ傾斜面と、……、傾斜角度がαｎで傾斜長がａｎの前記天面部に連結した第ｎ傾斜面（２≦ｋ≦ｎで、ｋ，ｎは共に整数）とが互いに連結した連結体で構成されてなり、
前記傾斜面は、
その傾斜角度が、
α１＞…＞αｋ＞…＞αｎ
９０°＞α１＞６０°
６０°＞αｎ＞３０°
の要件を満足するものであり、
その傾斜長が、
１０mm≦ａ１・sinα１＋…＋ａｋ・sinαｋ＋…＋ａｎ・sinαｎ≦５０mm
ａｋ−１：ａｋ＝３：７〜７：３
の要件を満足するものであり、
前記角錐台形状の角部には、その上下部の幅より中部の幅が広く、かつ、周面が略円弧状の算盤珠状リブが構成されてなる
ことを特徴とする蓋体。
【請求項３】
基底部の上水平面部と側壁部との境界部に、断面略Ｕ形状の凹条部が設けられてなる
ことを特徴とする請求項１又は請求項２の蓋体。
【請求項４】
天面部には複数段のリブが設けられて略凸状に構成されてなる
ことを特徴とする請求項１又は請求項２の蓋体。
【発明の詳細な説明】
【技術分野】
【０００１】
本発明は蓋体に関する。例えば、プラスチック製の弁当容器本体に被せる蓋体に関する。
【背景技術】
【０００２】
今日、駅弁や空弁と言われる如く、プラスチック製の容器に各種の食材が入れられた弁当が広く販売されている。この種の弁当に用いられる容器は、容器本体と蓋体とからなる。
【０００３】
さて、上記容器は、図３に示される如きの構造のものである。図３中、Ｘはシートを成形することによって得られたプラスチック製の容器本体であり、この容器本体Ｘは内部に仕切壁が設けられていて、各種の食材が各々の空間部に入れられる。Ｙは容器本体Ｘに対して被せられる蓋体である。この蓋体Ｙは、容器本体Ｘの開口部に嵌る嵌合部（基底部）２１と、天面部２２と、基底部２１と天面部２２とを連結する傾斜面である側壁部２３とからなる。
【特許文献１】特開２００２−２２５９６４号公報
【特許文献５】特開２００６−３０７２２８号公報
【発明の開示】
【発明が解決しようとする課題】
【０００４】
さて、上記した如きの弁当容器において、食材が十分に冷えてから容器本体内に入れられた場合、或いは容器本体内に入れられた食材から水分が十分に飛散してから閉蓋された場合には、問題が起きないのであろうが、暖かい状態にて食材が容器本体に入れられ、閉蓋された場合、しばしば、蓋体の内面側には水滴が付いている。このような場合において、開蓋した時、蓋に付着していた水分が飛び散り、衣類を汚すことが有る。
【０００５】
ところで、この付着水分の飛散は、開蓋時に持った時の手からの圧力によって蓋の側壁部２３が変形しており（図４参照：手を離した状態でも、変形したままである。）、そして開いた蓋を何かの上に置いた拍子（瞬間）に作用した力によって変形状態が瞬間的に元に戻り、この時（蓋を置いた拍子（瞬間））に付着していた水分が飛散していることが判って来た。
【０００６】
そこで、このような問題を起き難くする為には、図４に示される如きの変形が起き難いようにすれば良いことが判って来た。すなわち、手で持った時に作用した圧力によって図４の如きの変形が起きても、加わった圧力が掛からなくなる（開放）につれて復元するならば、瞬間的な復元が起きず、付着していた水分の飛散が起き難くなるであろうと思われた。
【０００７】
又、図４の如きの変形は、例えば食材が入れられた容器を陳列棚に置く時にも起き得る。しかしながら、図４のような変形が起きたままで並べられているのは、商品の販売上からも、好ましく無い。
【０００８】
さて、上記の問題についての検討が鋭意推し進められて行く中に、天面部と側壁部とのなす内角が小さい（側壁部の傾斜角度が大きい）ことから、変形（塑性変形）が起き易いのではないかとの啓示を得るに至った。
【０００９】
そこで、天面部と側壁部とのなす内角を大きくした（側壁部の傾斜角度を小さくした）蓋体を試作し、そして側壁部に圧力を作用させて塑性変形の起き易さを調べた。
【００１０】
その結果、天面部と側壁部とのなす内角を大きくした蓋体（側壁部の傾斜角度を小さくした蓋体）は塑性変形が起き難くなることが確かめられた。
【００１１】
ところが、今度は、天面部と側壁部とのなす内角を大きくした蓋体、即ち、側壁部の傾斜角度を小さくした蓋体は、蓋の側壁部の内面に食材が付き易いことが判って来た。
【００１２】
すなわち、通常、容器本体の上面よりも高い位置まで食材は入れられる。このような状況下において、側壁部の傾斜角度が小さいと言うことは、蓋体の内面が、容器本体の中央部付近に入れられた食材に当たることは無くても、容器本体の周辺部に入れられた食材には当たってしまう。そして、例えばご飯の類のものが蓋体内面に当たっていると、これ等の食材は開かれた蓋体内面にくっ付いたままのものとなる。よって、側壁部の傾斜角度を小さくした蓋体は、決して、好ましいものでは無い。
【００１３】
従って、本発明が解決しようとする課題は、上記問題点を解決することである。すなわち、側壁部の変形が起き難くする共に、容器本体に入れられた食材が蓋体内面に接触し難く（蓋体を開いた場合に、蓋体の内面にご飯類が付着したものとなり難く）し、商品価値の高い蓋体を提供することである。
【課題を解決するための手段】
【００１４】
前記の課題に対する検討を更に推し進めて行く中に、側壁部を二つ以上の側壁面で構成すれば問題が解決できることに気付くに至った。すなわち、変形は天面部と側壁部とのなす内角が小さいことに起因していることから、側壁部の上方部の傾斜角度を小さく（天面部と該天面部に繋がる側壁部（上方側壁部）とのなす内角を大きく）することによって、変形の問題が改善でき、一方、側壁部の下方部の傾斜角度を大きくしておけば、これまでと同様に、容器本体の周辺部に入れられたご飯類が付着し難いことに気付いたのである。更には、傾斜角度が異なる側壁面の境界部（ライン）が恰もリブの如きの機能を発揮することから、側壁部が変形し難くなり、強度的に好ましいことが判って来た。
【００１５】
上記啓示に基づいて本発明が達成されたのである。
すなわち、前記の問題点は、
基底部、天面部、及び前記基底部と前記天面部とに連結する側壁部を具備する蓋体において、
前記側壁部は、角錐台形状であり、かつ、傾斜角度が異なる複数の傾斜面の連結体で構成されてなり、
前記傾斜面は、前記基底部側に近い傾斜面の傾斜角度が大きく、前記天面部側に近い傾斜面の傾斜角度が小さなように構成されたものであり、
前記傾斜面における隣接する傾斜面は、その傾斜長の割合が３：７〜７：３であり、
前記角錐台形状の角部には、その上下部の幅より中部の幅が広く、かつ、周面が略円弧状の算盤珠状リブが構成されてなる
ことを特徴とする蓋体によって解決される。
【００１６】
又、基底部、天面部、及び前記基底部と前記天面部とに連結する側壁部を具備する蓋体において、
前記側壁部は、角錐台形状であり、かつ、傾斜角度がα１で傾斜長がａ１の前記基底部に連結した第１傾斜面と、……、傾斜角度がαｋで傾斜長がａｋの第ｋ傾斜面と、……、傾斜角度がαｎで傾斜長がａｎの前記天面部に連結した第ｎ傾斜面（２≦ｋ≦ｎで、ｋ，ｎは共に整数）とが互いに連結した連結体で構成されてなり、
前記傾斜面は、
その傾斜角度が、
α１＞…＞αｋ＞…＞αｎ
９０°＞α１＞６０°
６０°＞αｎ＞３０°
の要件を満足するものであり、
その傾斜長が、
１０mm≦ａ１・sinα１＋…＋ａｋ・sinαｋ＋…＋ａｎ・sinαｎ≦５０mm
ａｋ−１：ａｋ＝３：７〜７：３
の要件を満足するものであり、
前記角錐台形状の角部には、その上下部の幅より中部の幅が広く、かつ、周面が略円弧状の算盤珠状リブが構成されてなる
ことを特徴とする蓋体によって解決される。
【発明の効果】
【００１７】
上記の如くに構成させた本発明は、蓋体の側壁部に手からの力が作用しても、この手が蓋体から離れれば、元に戻り、塑性変形は非常に起き難い。従って、開いた蓋を何かの上に置いた拍子に、その時に作用した力によって塑性変形が瞬間的に復元し、この瞬間的な復元時に蓋内面に付着していた水分が飛散して衣類を汚すと言った問題が起き難くなる。更には、傾斜角度が異なる側壁面の境界部（ライン）が、恰も、リブの如きの機能を発揮し、側壁部が、一層、変形し難く、強度的に好ましい。
【００１８】
かつ、側壁部の下方側は傾斜角度が大きいことから、傾斜角度が小さな場合に比べたならば、容器本体の周辺部に入れられている食材が側壁部に接触し難くなり、例えばご飯類の如きの食材が蓋体内面に付着し難いものとなる。付着しても、傾斜角度が小さな場合に比べたならば、その量は少ない。
【００１９】
本発明において、ａｋ−１：ａｋ＝３：７〜７：３としたのは、例えば一つの傾斜面の傾斜長が非常に短い場合、それは、恰も、実質上、無いのと同様になり、本発明の特長が奏されなくなるからである。すなわち、本発明の特長を十分に奏させる為、ａｋ−１：ａｋを３：７〜７：３とした。
【発明を実施するための最良の形態】
【００２０】
本発明の蓋体は、基底部（容器本体の開口部に嵌る嵌合部）、天面部、及び前記基底部と前記天面部とに連結する側壁部を具備する蓋体である。側壁部は、傾斜角度が異なる複数の傾斜面の連結体で構成される。例えば、傾斜角度がα１で傾斜長がａ１の前記基底部に連結した第１傾斜面と、……、傾斜角度がαｋで傾斜長がａｋの第ｋ傾斜面と、……、傾斜角度がαｎで傾斜長がａｎの前記天面部に連結した第ｎ傾斜面（２≦ｋ≦ｎで、ｋ，ｎは共に整数）とが互いに連結した連結体で構成される。傾斜面は、前記基底部側に近い傾斜面の傾斜角度が大きく、前記天面部側に近い傾斜面の傾斜角度が小さい。例えば、α１＞…＞αｋ＞…＞αｎ，９０°＞α１＞６０°（特に好ましくは、８０°＞α１＞６５°），６０°＞αｎ＞３０°（特に好ましくは、５０°＞αｎ＞３５°）である。そして、傾斜面における隣接する傾斜面は、その傾斜長の割合が３：７〜７：３である。例えば、ａｋ−１：ａｋが３：７〜７：３である。特に好ましくは、３．５：６．５〜６．５：３．５である。更に好ましくは、４：６〜６：４である。そして、蓋体の高さは、側壁部の高さ（ａ１・sinα１＋…＋ａｋ・sinαｋ＋…＋ａｎ・sinαｎ）が１０〜５０ｍｍ（中でも、１５〜４０ｍｍ）の場合に、本発明の特長が大きく奏される。
【００２１】
そして、本発明にあっては、側壁部が角錐台形状であり、この角錐台形状の角部には、その上下部の幅より中部の幅が広く、かつ、周面が略円弧状の算盤珠状リブが構成されてなることが特に好ましい。これは、上記側壁部構造に更に算盤珠状リブ（即ち、上下部の幅より中部の幅が広く、かつ、周面が略円弧状の状リブ）が付け加わることによって、側壁部の復元性が向上していたからである。
【００２２】
又、本発明にあっては、天面部には複数段のリブが設けられて略凸状に構成されてなるのが好ましかった。これは、天面部に設けた略凸状リブが付け加わることによって、側壁部の復元性が向上していたからである。
【００２３】
以下、更に詳しく説明する。
図１は本発明になる蓋体の概略斜視図、図２は蓋体の一部断面（端面）図である。
【００２４】
各図中、Ｚは、平面視で略四角形状の蓋体である。この蓋体Ｚは、前記容器本体Ｘと同様な容器本体に対するものである。そして、透明ないしは半透明（好ましくは透明）な樹脂シートを成形することによって得られる。尚、蓋体Ｚの肉厚は約０．０１〜１ｍｍである。
【００２５】
１は、蓋体Ｚの基底部（容器本体の開口部に嵌る嵌合部）である。尚、この基底部１は、断面図からも判る通り、断面が略Γ形状である。そして、断面略Γ形状の基底部１の垂直面部１ａには、容器本体の凸（凹）部と嵌合してロック作用を奏する凹（凸）部１ｂが設けられている。尚、１ｃは、断面略Γ形状の基底部１の水平面部である。そして、この水平面部１ｃの端部（後述の側壁部との境界部）には、凹条部１ｄが設けられている。
【００２６】
２は、蓋体Ｚの天面部である。この平坦な水平面からなる天面部２には、図１からも判る通り、二段凸状リブ２ａが設けられている。
【００２７】
３は、基底部１と天面部２とに連結した側壁部である。この側壁部３は、平面からなる第１傾斜面３ａと、平面からなる第２傾斜面３ｂとから出来ている。そして、第１傾斜面３ａの下端が基底部１（凹条部１ｄ）に繋がっており、第２傾斜面３ｂの上端が天面部２に繋がっている。勿論、第１傾斜面３ａの上端が第２傾斜面３ｂの下端に繋がっている。第１傾斜面３ａは、その傾斜角度α１が７９°で、その傾斜長がａ１で、その高さａ１・ｓｉｎ７９°が１０．０６ｍｍであるよう構成されている。第２傾斜面３ｂは、その傾斜角度α２が４２°で、その傾斜長がａ２で、その高さａ２・ｓｉｎ４２°が９．９４ｍｍであるよう構成（第１実施例）されている。
【００２８】
或いは、第１傾斜面３ａの傾斜角度α１が７７°で、その傾斜長がａ１で、その高さａ１・ｓｉｎ７７°が９．００ｍｍであるよう構成されると共に、第２傾斜面３ｂの傾斜角度α２が４０°で、その傾斜長がａ２で、その高さａ２・ｓｉｎ４０°が８．００ｍｍであるよう構成（第２実施例）されている。
【００２９】
或いは、第１傾斜面３ａの傾斜角度α１が７０°で、その傾斜長がａ１で、その高さａ１・ｓｉｎ７０°が１１．００ｍｍであるよう構成されると共に、第２傾斜面３ｂの傾斜角度α２が４０°で、その傾斜長がａ２で、その高さａ２・ｓｉｎ４０°が１０．０５ｍｍであるよう構成（第３実施例）されている。
【００３０】
又は、第１傾斜面３ａの傾斜角度α１が７０°で、その傾斜長がａ１で、その高さａ１・ｓｉｎ７０°が１７．５０ｍｍであるよう構成されると共に、第２傾斜面３ｂの傾斜角度α２が３５°で、その傾斜長がａ２で、その高さａ２・ｓｉｎ３５°が１７．００ｍｍであるよう構成（第４実施例）されている。
【００３１】
４は、側壁部３の四隅の角に設けられたリブである。このリブ４は、その上下部の幅より中部の幅が広く、かつ、周面が略円弧状のリブ（算盤珠状リブ）である。
【００３２】
さて、上記の如くに構成させた本発明になる蓋体と、第１傾斜面３ａがそのまま天面部２まで延長して第２傾斜面３ｂが無いタイプの蓋体とを比較した。その結果、傾斜角度が７１°しか無い単一傾斜面からなる側壁部の蓋体（比較例の蓋体）の場合には、側壁部と天面部との境界付近に指先からの力が作用すると、力が開放されても塑性変形を起こしたままであったのに対して、本発明のものでは、斯かる塑性変形は起きなかった。すなわち、圧力が作用すると、作用部は撓むものの、圧力の開放に伴って原状回復し、塑性変形は認められなかった。
【００３３】
更に、第１傾斜面３ａと第２傾斜面３ｂとの境界に、傾斜角度の相違から、直線状のライン３ｃが形成されている。従って、このライン３ｃが、恰も、リブの如きのものとなり、それだけ機械的強度が増すことになる。
【００３４】
又、第２傾斜面３ｂの傾斜角度は小さなものの、傾斜角度の大きな第１傾斜面３ａの上に傾斜角度の小さな第２傾斜面３ｂが在ることから、容器本体の周辺部に置かれた食材は側壁部に接触する割合が少なく、食材が付着し難い。
【００３５】
上記実施形態にあっては、側壁部が二つの傾斜面で構成された場合である。しかしながら、側壁部を三つの平坦な傾斜面で構成しても差し支えない。例えば、基底部に連結した第１傾斜面（傾斜角度α１（７０°＜α１＜８０°）、傾斜長ａ１（５ｍｍ＜ａ１＜１５ｍｍ））と、第１傾斜面に連続した第２傾斜面（傾斜角度α２（６０°＜α２＜７０°）、傾斜長ａ２（５ｍｍ＜ａ２＜１５ｍｍ）、ａ１＝ａ２）と、第２傾斜面に連続した第３傾斜面（傾斜角度α３（３５°＜α３＜４５°）、傾斜長ａ３（５ｍｍ＜ａ３＜１５ｍｍ）、ａ２＝ａ３）とで側壁部を構成することも出来る。
【００３６】
又、側壁部を四つの傾斜面で構成しても良い。そして、五つ以上の傾斜面で構成しても差し支え無いが、現実的には、四つ以下であろうと考えられる。更には、三つ以下であろうかと考えられる。
【図面の簡単な説明】
【００３７】
【図１】本発明になる蓋体の斜視図
【図２】本発明になる蓋体の断面図
【図３】従来の容器（容器本体と蓋体）の斜視図
【図４】従来の蓋体の変形具合を示す斜視図
【符号の説明】
【００３８】
Ｚ            略四角形状の蓋体
１            基底部（容器本体の開口部に嵌る嵌合部）
２            天面部
３            側壁部
３ａ          第１傾斜面（傾斜角度α１、傾斜長ａ１）
３ｂ          第２傾斜面（傾斜角度α２、傾斜長ａ２）
３ｃ          直線状ライン（リブ）
代  理  人      宇  高    克  己
【図１】
0004998945.tif 000002
【図２】
0004998945.tif 000003
【図３】
0004998945.tif 000004
【図４】
0004998945.tif 000005